(57)【要約】      （修正有）【課題】屋根の冷却、集熱、融雪もしくは放熱等に用いられる液体の流下方向を規正し、均等に分布した状態で流下させる瓦棒葺き屋根の底板表面構造を提供する。【解決手段】液体含有保有量が少なく、流下する液体の一部を吸収し残りの部分が表面を滑る露出した速い流れの液体の主流を形成する主要流下経路と、この主要流下経路の側部に位置し、前記主流よりも流速の遅い副流を形成する、主要流下経路に比べて液体含浸保有量の大きな副流下経路とを用い、前記主要流下経路を前記底板のほぼ中央に位置する第１の主要流下経路Ａと、この第１の主要流下経路Ａの両側に配置された第２の主要流下経路Ｂから構成し、また前記副流下経路を両側の瓦棒の各々に接する外側副流下経路Ｄと、第１と第２の主要流下経路の境界に位置する内側副流下経路Ｃから構成している。【選択図】図１
2005214001.tif 000002
【特許請求の範囲】
【請求項１】
両側を瓦棒で挟まれた屋根の底板表面に液体流下経路を形成してなる瓦棒葺き屋根の底板表面構造において、当該瓦棒葺き屋根の底板表面構造は、液体含有保有量が少なく、流下する液体の一部を吸収し残りの部分が表面を滑る露出した速い流れの液体の主流を形成する主要流下経路と、この主要流下経路の側部に位置し、前記主流よりも流速の遅い副流を形成する、主要流下経路に比べて液体含浸保有量の大きな副流下経路とを有し、前記主要流下経路は前記底板のほぼ中央に位置する第１の主要流下経路と、この第１の主要流下経路の両側に配置された第２の主要流下経路からなり、また前記副流下経路は両側の瓦棒の各々に接する外側副流下経路と、第１と第２の主要流下経路の境界に位置する内側副流下経路からなり、前記第１の主要流下経路は第２の主要流下経路に比べて横幅が大きいことを特徴とする瓦棒葺き屋根の底板表面構造。
【請求項２】
請求項１に記載された瓦棒葺き屋根の底板表面構造において、前記第１の主要流下経路の横幅は、第２の主要流下経路の横幅を合計したものよりも実質的に大きい瓦棒葺き屋根の底板表面構造。
【請求項３】
請求項１に記載された瓦棒葺き屋根の底板表面構造において、前記内側副流下経路には少なくとも１つの凹所通路が設けられている屋根の底板表面構造。
【発明の詳細な説明】
【発明の詳細な説明】
【産業上の利用分野】
【０００１】  本発明は、液体の流下方向を規正し均等に分布した状態で流下させる瓦棒葺き屋根の底板表面構造に係る。液体は屋根の冷却、集熱、融雪もしくは放熱等に用いられる。
【背景技術】
【０００２】  本件出願人は、屋根面に接着して使用する各種の流下規正シートについて試験研究し商品化してきた経緯がある。一例として、流下する液体の一部を吸収し残りの部分が表面を滑る露出した液体の流れを形成する経路と、この経路の側部に位置する液体含浸保有量の大きな副流下経路を配置し、これら経路を移動する液体の流れの流速差により液体の流れに方向性を持たせる構造のものがある。
【本発明が解決しようとする課題】
【０００３】  こうした流下規正シートを貼り付けた瓦棒葺き屋根の底板は、両側の側縁が瓦棒により縦方向に固定されているため中高に変形しやすい。変形の要因には、屋根葺き工事中のはぜ巻き締め作業時、野地板上の底板材の片押しの加減によるもの、また日射による底板自身の熱変形がある。変形は液体の流下方向に畝状に出現し、流下する液体は左右に分かれ瓦棒の側面に案内されて底板の両側縁に収束した流れを形成する。
【０００４】  従来の流下規正経路の配置形態によれば、底板の畝状変形による液体の左右への偏流の挙動を抑制することが難しい。瓦棒の側縁に向けて集まる大量の液体は瓦棒側面に案内されて高速の流れを形成し規正効果は消失する。その結果、底板面は熱交換面として有効に機能しない。
屋根面が融雪面を形成する場合、底板の中央部に畝状の残雪を生じる。また屋根面が集熱面であれば集熱量が少なくなり湯温の上昇が妨げられる。冷却屋根であれば底板表面に温度ムラが生じ、冷却効果が低下する。
【課題を解決するための手段】
【０００５】  このような従来技術の欠点を解決するため、本発明の瓦棒葺き屋根の底板表面構造は液体の流下経路の配置形態に特徴をもたせている。具体的には、液体含有保有量が少なく、流下する液体の一部を吸収し残りの部分が表面を滑る露出した速い流れの液体の主流を形成する主要流下経路と、この主要流下経路の側部に位置し、前記主流よりも流速の遅い副流を形成する、主要流下経路に比べて液体含浸保有量の大きな副流下経路とを用い、前記主要流下経路を前記底板のほぼ中央に位置する第１の主要流下経路と、この第１の主要流下経路の両側に配置された第２の主要流下経路から構成し、また前記副流下経路を両側の瓦棒の各々に接する外側副流下経路と、第１と第２の主要流下経路の境界に位置する内側副流下経路から構成している。前記第１の主要流下経路は第２の主要流下経路に比べて横幅が大きく設定されている。
【作用】
【０００６】  吸液素材は任意の幅の流下経路を形成している。この任意の幅の流下経路に沿って液体は流下していく。吸液素材は液体含浸保有量の少ない主要流下経路と、この主要流下経路の側部に位置し液体含浸保有量の大きな副流下経路からなり、主要流下経路を流下する液体の主流の側部に副流が配置され、吸液素材の全幅にわたり密集したままの状態で液体は流れていく。
主要流下経路は液体含浸保有量が少ないため、吸液素材の流下方向に沿って経路表面を滑る露出した主流を形成し、また液体含浸保有量が大きい副流下経路により、主流の側部に主流よりも比較的流量の少ない流速の遅い副流が形成される。
【０００７】  主要流下経路のうち第１のものは屋根底板のほぼ中央にある。底板が畝状に変形している場合、この畝状の膨らみにより第１の主要流下経路の流れは中央で薄く左右に厚い膜厚の露出した流れを形成する。中央付近にできる薄い膜厚の露出した流れは左右の流れに比べて流速が相対的に遅い。第１の主要流下経路上の左右各々の主流の流れは、流速の遅い主流の一部と内側副流下経路の副流の流れに接し、両者の境界は速度差により維持され外側へのチャネリングが発生しにくい。また、内側副流下経路の副流は第２の主要流下経路を走る流速の速い流れに接し、両者の境界は流速差により維持され外側へのチャネリングが発生しにくい。さらに、第２の主要流下経路と瓦棒の側面との間に外側副流下経路が設置されているため、第２の主要流下経路の流れは外側副流下経路の遅い流れに接し瓦棒側面から隔離されて流れ、瓦棒側面に沿った流れは発生しにくい。
第１の主要流下経路から内側副流下経路を越える流れが生じた場合、第２の主要流下経路がこれを捕捉し、さらに瓦棒の側面に接して外側副流下経路の遅い流速の流れが位置しているため液体の横方向への動きは希釈され、瓦棒の側面の隅に付着して直線的に走る無駄な流れができにくくなる。第１の主要流下経路は幅広に仕立てられているため流量は大きく、畝状の隆起部を挟んで両側に充分な量の液体を確保するように作用する。
【実施例】
【０００８】  以下、添付図面に沿って本発明の実施例につき詳細に説明する。
図１および図３は、本発明に係る瓦棒葺き屋根の底板表面構造の一例を示す斜視説明図である。
瓦棒葺き屋根の底板１は表面に複数の液体流下経路が形成されている。これらの液体流下経路は、主要流下経路と副流下経路から構成されている。主要流下経路は液体含有保有量が少なく、流下する液体の一部を吸収し残りの部分が表面を滑る露出した速い流れの液体の主流を形成するためのものである。また、副流下経路は、この主要流下経路の側部に位置し、前記主流よりも流速の遅い副流を形成するためのもので、主要流下経路に比べて液体含浸保有量が大きい。【０００９】  図示の例では、前記主要流下経路は、底板のほぼ中央に位置する第１の主要流下経路Ａと、この第１の主要流下経路Ａの両側に配置された第２の主要流下経路Ｂから構成されている。また前記副流下経路は、第１と第２の主要流下経路Ａ、Ｂの間に介在する内側副流下経路Ｃと、両側の瓦棒２の各々に接する外側副流下経路Ｄから構成されている。前記第１の主要流下経路Ａは第２の主要流下経路Ｂに比べて横幅が大きく流量も多い。図示の例の第１の主要流下経路Ａの横幅は、両側の第２の主要流下経路Ｂの横幅を合計した程度である。第１の主要流下経路Ａの横幅は、底板の起伏を考慮に入れて第２の主要流下経路Ｂの横幅を合計したものよりも起伏の幅に相当する分を加えて大きく設定することができる。【００１０】  図示の例では、主要流下経路は厚みが薄く、含浸保有しきれない多くの液体が経路表面上を露出した状態で滑りながら流下する主流を形成する。主流の両側に配置された液体含浸保有量の大きな副流下経路は主要流下経路よりも多くの液体を含有し、この副流下経路に沿って比較的流量の少ない流速の遅い副流が形成され、これら液体の主流と副流は互いに隣接して位置し、吸液素材の全面に沿って流下していく。【００１１】  図２は、内側副流下経路に少なくとも１つの凹所通路Ｅを設けた例を示している。この構成は、幅の狭い複数の内側副流下経路が並列されている構成とも見なせる。融雪屋根として使用する場合、堆積した雪の水の吸い上げが多ければ、この凹所通路が補給水経路として機能する。
【図面の簡単な説明】
【図１】  本発明に係る瓦棒葺き屋根の底板表面構造の一例を示す斜視説明図。
【図２】  変更例を示す斜視説明図。
【符号の説明】
１    屋根の底板
２    瓦棒
Ａ    第１の主要流下経路
Ｂ    第２の主要流下経路
Ｃ    内側副流下経路
Ｄ    外側副流下経路
【図１】
2005214001.tif 000003
【図２】
2005214001.tif 000004